(57)【要約】【課題】電源を必要とせず持ち運びが容易であり、毛髪の艶出し効果を手軽に得ることができる新規なヘアケア器具を提供する。【解決手段】毛髪を挟み込む挟込部（３）を備え、挟込部（３）には、挟み込んだ毛髪に接触するプレート（１５，１７）が設けられ、プレート（１５，１７）は、セラミック又はゲルマニウム化合物からなり、挟込部（３）にて毛髪を挟み込む力により加圧した状態で毛髪に接触するように構成され、ヒーター及び給電部品を含む電気部品を備えていない。【選択図】図３
2019088406.tif 000002
【特許請求の範囲】
【請求項１】
毛髪を挟み込む挟込部を備え、
前記挟込部には、挟み込んだ毛髪に接触するプレートが設けられ、
前記プレートは、少なくとも表面がセラミック又はゲルマニウム化合物からなり、前記挟込部にて毛髪を挟み込む力により加圧した状態で毛髪に接触するように構成され、
ヒーター及び給電部品を含む電気部品を備えていない
ことを特徴とするヘアケア器具。
【請求項２】
請求項１に記載されたヘアケア器具において、
前記挟込部は、一端側がヒンジ部によって開く方向に付勢して所定の角度範囲で回転可能に連結された一対のアームによって構成されており、
前記一対のアームは、互いの対向面に前記プレートをそれぞれ有し、互いに接近させる方向に回転させることにより前記プレートの間に毛髪を挟持可能になっている
ことを特徴とするヘアケア器具。
【請求項３】
請求項２に記載されたヘアケア器具において、
前記アームは、細長く延びる扁平な形状に形成されている
ことを特徴とするヘアケア器具。
【発明の詳細な説明】
【技術分野】
【０００１】
本発明は、毛髪に艶を付与しつつ整髪を行えるヘアケア器具に関する。
【背景技術】
【０００２】
従来から、遠赤外線を放射するセラミック材を用いたヘアブラシが知られている。
【０００３】
例えば、特許文献１には、複数の円錐状突起が設けられたブラシ本体と、ブラシ本体の背面に設けられた手掛けバンドとを備え、ブラシ本体及びバンドが遠赤外線放射ファインセラミックによって成形されたゴム系のヘアブラシが開示されている。このヘアブラシによるマッサージ効果は、毛髪の艶出しなどに有効であるとされている。
【０００４】
特許文献２には、ブラシ基台に刷毛を植設してなる刷毛部と、刷毛部を装着する把手部とを備え、ブラシ基台の中に遠赤外線セラミック素材の溶融シリカが充填されたヘアブラシが開示されている。このヘアブラシの使用時には、溶融シリカの成分が毛髪に接触することによって遠赤外線セラミック素材の成分効果が得られるとされている。
【０００５】
特許文献３には、ブラシ毛が植毛された植毛部と、植毛部と一体の把持部とを備え、植毛部の表面にマイナスイオン発生シートが貼り付けられたヘアブラシが開示されている。このヘアブラシに用いられるマイナスイオン発生シートは、遠赤外線セラミックを含む高分子樹脂組成物からなり、放射する遠赤外線などの作用によって血行を促進し、頭髪の光沢を保持できるとされている。
【０００６】
また、セラミック材からなるプレートを備え、プレートを加熱するヒーターを内蔵し、ヒーターを作動させる電源を得るための電源コードを含む給電部品が設けられたヘアアイロンが知られている。
【０００７】
例えば、特許文献４には、先端側にプレートが設けられた一対のアームを備え、これら両アームのプレートで毛髪を挟持するように構成されたヘアアイロンが開示されている。このヘアアイロンでは、プレートの材料としてセラミックなどの軽量で熱伝導性に優れた材料が用いられており、各アームに内蔵したヒーターによりプレートを加熱しながら毛髪を挟持して整髪できるようになっている。
【先行技術文献】
【特許文献】
【０００８】
【特許文献１】特開平０９−３２２８２６号公報
【特許文献２】特開平０９−０５６４７２号公報
【特許文献３】特開２００８−０１２０８３号公報
【特許文献４】特開２０１７−０００６６６号公報
【発明の概要】
【発明が解決しようとする課題】
【０００９】
しかしながら、上記のようなヘアブラシでは、ブラシ本体やブラシ基台、植毛部に貼り付けられたマイナスイオン発生シートなどのセラミック材からなる部分が、その使用時に毛髪に触れる程度なので、セラミック材からの遠赤外線による効果が得られにくく、毛髪に艶を付与するのが容易ではない。
【００１０】
また、上記のようなヘアアイロンでは、ヒーターや給電部品などの電気部品を内蔵しているため、そうした電気部品を収容するための内部空間を確保すべくアームが比較的厚くならざるを得ず、小型化及び軽量化には限界がある。しかも、こうしたヘアアイロンでは、電源コードなどが邪魔で持ち運びに不便な上に、ヒーターの作動に電源を必要とするために使用可能な場所が電源のある場所に制限される。
【００１１】
本発明は、斯かる点に鑑みてなされたものであり、その目的とするところは、電源を必要とせず持ち運びが容易であり、毛髪の艶出し効果を手軽に得ることができる新規なヘアケア器具を提供することにある。
【課題を解決するための手段】
【００１２】
上記の目的を達成するために、本発明では、毛髪を挟み込む構成を用い、毛髪を挟み込んだ際にセラミック又はゲルマニウム化合物からなるプレートが毛髪に押し当てられるようにし、電源を必要とする電気部品を備えないようにした。
【００１３】
具体的には、本発明は、毛髪の手入れを行うためのヘアケア器具を対象とし、以下の解決手段を講じたものである。
【００１４】
すなわち、第１の発明は、毛髪を挟み込む挟込部を備える。この挟込部には、挟み込んだ毛髪に接触するプレートが設けられている。当該プレートは、少なくとも表面がセラミック又はゲルマニウム化合物からなり、挟込部にて毛髪を挟み込む力により加圧した状態で毛髪に接触するように構成されている。そして、第１の発明は、ヒーター及び給電部品を含む電気部品を備えていないことを特徴とする。
【００１５】
この構成によると、毛髪を挟み込む挟持部を備えるようにしたから、挟持部に毛髪を挟み込んだ状態でスライドさせるなどして整髪することができる。挟持部に毛髪を挟み込んだ状態では、セラミック又はゲルマニウム化合物からなるプレートが毛髪に押し当てられてしっかりと接触するので、整髪を行うのに伴って、毛髪に対しプレートに含まれるセラミック又はゲルマニウム化合物からの遠赤外線による作用を効果的に及ぼすことができる。それにより、毛髪の艶出し効果を手軽に得ることができる。
【００１６】
また、上記構成によると、電源を必要とするヒーター及び給電部品を含む電気部品を備えないようにしたから、そうした電気部品を収容するための内部空間が不要となり、その分だけヘアケア器具の小型化及び軽量化を図ることができる。さらに、当該ヘアケア器具には電源コードが付いていないので、持ち運びに便利であるし、その使用に電源を必要としないことから、使用可能な場所が制限されず何処でも使用することができる。
【００１７】
第２の発明は、第１の発明のヘアケア器具において、挟込部が、一端側がヒンジ部によって開く方向に付勢して所定の角度範囲で回転可能に結合された一対のアームによって構成された構造を有する。そして、第２の発明は、一対のアームが、互いの対向面にプレートをそれぞれ有し、互いに接近させる方向に回転させることによりプレートの間に毛髪を挟持可能になっていることを特徴とする。
【００１８】
この構成によると、セラミック又はゲルマニウム化合物からなる一対のプレートの間に毛髪を挟み込む構成を採用したから、ヘアケア器具を用いた整髪に伴い、両方のプレートに含まれるセラミック又はゲルマニウム化合物からの遠赤外線による作用をさらに効果的に毛髪に及ぼし、毛髪の艶出し効果をよりいっそう有効に得ることができる。
【００１９】
第３の発明は、第２の発明のヘアケア器具において、アームが、細長く延びる扁平な形状に形成されていることを特徴とする。
【００２０】
この構成によると、アームを細長く延びる扁平な形状としたから、小型化及び軽量化されたヘアケア器具を実現することができる。すなわち、当該ヘアケア器具では、電気部品を備えないことで、上述したヘアアイロンにおいてはヒーターなどの電気部品を内蔵するがために困難であった程度にまで器具の薄型化と重量ダウンを図ることができる。
【発明の効果】
【００２１】
本発明によれば、電源を必要とせず持ち運びが容易であり、毛髪の艶出し効果を手軽に得ることができる新規なヘアケア器具を提供することができる。
【図面の簡単な説明】
【００２２】
【図１】実施形態に係るヘアケア器具の斜視図である。
【図２】実施形態に係るヘアケア器具の側面図である。
【図３】実施形態に係るヘアケア器具の分解斜視図である。
【図４】図１のIV−IV線におけるヘアケア器具の断面図である。
【発明を実施するための形態】
【００２３】
以下、例示的な実施形態を図面に基づいて詳細に説明する。なお、以下の実施形態においては、説明の便宜上、ヘアケア器具について、一対のアームの連結部分側を「後側」、その反対側を「前側」と称し、一対のアームが互いに対向する側を「器具内側」、その反対側を「器具外側」と称する。
【００２４】
図１に、この実施形態に係るヘアケア器具１の斜視図を示す。図２に、ヘアケア器具１の側面図を示す。図３に、ヘアケア器具１の分解斜視図を示す。また、図４に、図１のIV−IV線におけるヘアケア器具１の断面図を示す。なお、図４では、ヘアケア器具１について一対のアーム７，９を閉じた状態を示している。
【００２５】
ヘアケア器具１は、図１〜図３に示すように、使用者が片手で操作しながら取り扱えるハンディタイプの器械である。このヘアケア器具１は、毛髪を挟み込む挟込部３を備え、挟込部３を主体として構成されている。なお、当該ヘアケア器具１は、ヒーターや電源を得るための電源コードを含めた給電部品などの電気部品を備えていない。
【００２６】
挟込部３は、一端側の端部同士がヒンジ部５を介して連結された上アーム７及び下アーム９によって構成されている。これら上アーム７及び下アーム９は、それぞれ短冊のように細長く延びる扁平な形状に形成されており、ヒンジ部５により所定の角度範囲で回転可能とされている。そして、挟込部３には、上アーム７及び下アーム９を開く方向に付勢する付勢機構１１が設けられている。
【００２７】
付勢機構１１は、コイルばね１３を備え、上アーム７と下アーム９との間にそのコイルばね１３を介装した仕組みである。上アーム７及び下アーム９は、前側略半分の部分に矩形平板状のケアプレート１５，１７を有しており、付勢機構１１による付勢力に抗して、互いに接近させる方向、つまりアーム７，９同士を閉じる方向に回転させることにより両ケアプレート１５，１７の間に毛髪を挟持可能な構成とされている。
【００２８】
具体的には、上アーム７は、ヘアケア器具１の外装をなす上アウタケース１９と、上アウタケース１９の後側略半分に器具内側に臨んで取り付けられた上インナパネル２１と、上アウタケース１９の器具内側で上インナパネル２１よりも前側に配置された上ケアプレート１５とを備える。
【００２９】
上アウタケース１９の前側略半分の部分には、上ケアプレート１５を収容する前側凹部２３が設けられている。前側凹部２３には、上アウタケース１９の補強を兼ねる支持リブ２５が複数設けられている。これら支持リブ２５は、例えば、上アーム７の長手方向に延び、上アーム７の幅方向に互いに平行に並んでいる。上ケアプレート１５は、前側凹部２３に嵌め込まれて接着剤などにより上アウタケース１９に固定され、支持リブ２５に支持されることによって、前側凹部２３から器具内側へ全面に亘って張り出している。
【００３０】
上ケアプレート１５は、遠赤外線を放射するセラミック又はゲルマニウム化合物からなる。なお、この上ケアプレート１５には、セラミック又はゲルマニウム化合物の他、微量の不純物を含んでいてもよい。ゲルマニウム化合物としては、チタンゲルマニウム合金やシリコンゲルマニウム合金などのゲルマニウム合金、二酸化ゲルマニウムなどのゲルマニウム酸化物、その他の各種ゲルマニウム化合物を用いることができる
【００３１】
セラミック材料としては、アルミナ質セラミックやジルコニア質セラミック、窒化珪素質セラミック、窒化アルミニウム質セラミック、炭化珪素質セラミックなどの各種セラミック材料を用いることができる。これらの中でも特に、ジルコニア質セラミックは、高い強度と靱性を有しているので、ヘアケア器具１の機械的強度を確保する上で好ましい。ジルコニア質セラミックの場合、例えば、ＺｒＯ２を９３．６８９〜９５．７９３重量％、Ｙ２Ｏ３を４〜６重量％、ＦｅＯ３を０．２〜０．３重量％、Ｎａ２Ｏを０．０００５〜０．００１５重量％、ＳｉＯ２を０．００６〜０．００８重量％、ＴｉＯ２を０．０００５〜０．００１５重量％からなる組成を採用することができる。
【００３２】
上アウタケース１９の後側略半分の部分には、仕切壁２７により前側凹部２３と仕切られた後側凹部２９が設けられている。後側凹部２９の後側部分には、概略楕円形の浅い窪み３１と、窪み３１の中央に位置するコイルばね位置決め用のボス３３とが設けられている。また、後側凹部２９には、ねじ止め用のボス３５が複数設けられている。これらボス３５は、例えば、後側凹部２９の前端部分と後端寄りの両サイド部分とに配置されている。
【００３３】
上インナパネル２１は、後側凹部２９に嵌め込まれて各ボス３３にねじ３７で締結されることにより、上アウタケース１９に固定されている。上インナパネル２１の後側部分には、上アウタケース１９の後側凹部２９の底面に向けて突出した筒状のアウタ連絡部３９が設けられている。アウタ連絡部３９は、後側凹部２９の窪み３１に対応する外形とされ、窪み３１に嵌め込まれている。
【００３４】
下アーム９も、基本的には上アーム７と同様な構成とされている。具体的には、下アーム９は、ヘアケア器具１の外装をなす下アウタケース４１と、下アウタケース４１の後側略半分に器具内側に臨んで取り付けられた下インナパネル４３と、下アウタケース４１の器具内側で下インナパネル４３よりも前側に配置された下ケアプレート１７とを備える。
【００３５】
下アウタケース４１の前側略半分の部分には、下ケアプレート１７を収容する前側凹部４５が設けられている。前側凹部４５には、下アウタケース４１の補強を兼ねる支持リブ４７が複数設けられている。これら支持リブ４７は、例えば、下アーム９の長手方向に延び、下アーム９の幅方向に互いに平行に並んでいる。下ケアプレート１７は、前側凹部４５に嵌め込まれて接着剤などにより下アウタケース４１に固定され、支持リブ４７に支持されることによって、下ケアプレート１７の前側凹部４５から器具内側へ全面に亘って張り出している。
【００３６】
下ケアプレート１７は、上ケアプレート１５と同じく、遠赤外線を放射するセラミック又はゲルマニウム化合物からなる。具体的なセラミックやゲルマニウム化合物としては、上述した材料を用いることができる。
【００３７】
下アウタケース４１の後側略半分の部分には、仕切壁４９により前側凹部４５と仕切られた後側凹部５１が設けられている。後側凹部５１には、ねじ止め用のボス５３が複数設けられている。これらボス５３は、例えば、後側凹部５１の前端部分と後端寄りの両サイドとに配置されている。下インナパネル４３は、後側凹部５１に嵌め込まれて各ボス５３にねじ５５で締結されることにより、下アウタケース４１に固定されている。
【００３８】
下インナパネル４３の後側部分には、上アーム７側に向けて突出した有底筒状のインナ連絡部５３が設けられている。このインナ連絡部５３は、上アーム７のアウタ連絡部３９に遊嵌される。コイルばね１３は、ボス３３に挿通された状態でアウタ連絡部３９に収容され、下アーム９のインナ連絡部５３の底面と上アーム７の後側凹部２９の窪み３１底面との間に挟まれて保持されている。
【００３９】
上アウタケース１９の後端部には、円形筒状のセンター軸受部５９が筒軸を上アーム７の幅方向に沿わせて設けられている。このセンター軸受部５９の一側面には、円形の孔と扇形の孔を組み合わせたような鍵穴形状の挿通孔６１が形成されている。他方、下アウタケース４１の後端部の両サイドには、側面視で円環形状のサイド軸受部６３がセンター軸受部５９を挟み込む位置関係で一対に設けられている。
【００４０】
上アウタケース１９のセンター軸受部５９と下アウタケース４１の両サイド軸受部６３とは、回転軸部品６５によって連結されている。回転軸部品６５は、上アーム７及び下アーム９の回転軸心をなす回転軸体６７と、回転軸体６７の先端側にねじ止めされる円環状の止め板６９とを備える。回転軸体６７は、一端部に設けられた相対的に大径なキャップ部７１と、キャップ部７１を除いた部分からなる相対的に小径な軸本体７３とによって構成されている。
【００４１】
回転軸体６７は、一方のサイド軸受部６３からセンター軸受部５９を通して、挿通孔６１の円形部分から他方のサイド軸受部６３に挿通され、その先端部に止め板６９をねじ７５で締結することにより、上アーム７と下アーム９とを回転可能に支持している。回転軸体６７のキャップ部７１とは反対側に位置するサイド軸受部６３には、止め板６９やそれを止めるねじ７５を隠蔽するキャップ７７が取り付けられている。上アウタケース１９のセンター軸受部５９と下アウタケース４１の両サイド軸受部６３と回転軸部品６５とはヒンジ部５を構成している。
【００４２】
ヒンジ部５には、上アーム７と下アーム９との開き角度を、これら両アーム７，９に互いに接近する方向への力が加えられていない状態で所定の角度に規制する開き規制機構７９が設けられている。開き規制機構７９は、センター軸受部５９の挿通孔６１と止め板６９に設けられたストッパ片８１とによって構成されている。
【００４３】
ストッパ片８１は、回転軸体６７に沿ってセンター軸受部５９へと延びており、挿通孔６１の扇形部分に挿入されている。このストッパ片８１は、上アーム７と下アーム９との相対回転によって当該挿通孔６１内で周方向に揺動される。開き規制機構７９は、ストッパ片８１が挿通孔６１の扇形部分の端縁に当接することで、上アーム７と下アーム９との開き角度を所定の角度に規制するようになっている。
【００４４】
この実施形態のヘアケア器具１によると、毛髪を挟み込む上アーム７及び下アーム９を備えるから、これら両アーム７，９に毛髪を挟み込んだ状態でスライドさせるなどして整髪することができる。両アーム７，９に毛髪を挟み込んだ状態では、セラミック又はゲルマニウム化合物からなる上ケアプレート１５及び下ケアプレート１７が毛髪に押し当てられてしっかりと接触するので、整髪を行うのに伴って、毛髪に対しケアプレート１５，１７に含まれるセラミック又はゲルマニウム化合物からの遠赤外線による作用を効果的に及ぼすことができる。それにより、毛髪の艶出し効果を手軽に得ることができる。
【００４５】
さらに、この実施形態のヘアケア器具１によると、電源を必要とするヒーター及び給電部品を含む電気部品を備えないから、そうした電気部品を収容するための内部空間が不要となる。そのことで、上アーム７及び下アーム９を細長く延びる扁平な形状にでき、ヘアケア器具１の小型化及び軽量化を図ることができる。さらに、当該ヘアケア器具１には電源コードが付いていないので、持ち運びに便利であるし、その使用に電源を必要としないので、使用可能な場所が制限されず何処でも使用することができる。
【００４６】
以上のように、ここに開示する技術の例示として、好ましい実施形態について説明した。しかし、ここに開示する技術は、これに限定されず、適宜、変更、置き換え、付加、省略などを行った実施の形態にも適用可能である。また、添付図面及び詳細な説明に記載された構成要素の中には、課題解決のためには必須でない構成要素も含まれ得る。そのため、それらの必須でない構成要素が添付図面や詳細な説明に記載されていることを以て、直ちにそれらの必須でない構成要素が必須であるとの認定をするべきではない。
【００４７】
例えば、上記実施形態について、以下のような構成としてもよい。
【００４８】
上記実施形態では、ロック機構について言及しなかったが、ヘアケア器具１は、上アーム７と下アーム９とを閉じた位置でロックするロック機構を備えていてもよい。このような構成によれば、上アーム７と下アーム９とを閉じた状態にしてコンパクト化が図れるため、よりいっそう持ち運びし易くなる。
【００４９】
また、上記実施形態では、上ケアプレート１５及び下ケアプレート１７はセラミック又はゲルマニウム化合物からなるとしたが、これに限らない。これら上ケアプレート１５及び下ケアプレート１７は、アルミニウムやスチール、ステンレス、それらの化合物や合金などからなる金属製のベースプレートの表面にセラミック層又はゲルマニウム化合物からなる層がコーティングされた構成であってもよい。要は、上ケアプレート１５及び下ケアプレート１７の少なくとも表面がセラミック又はゲルマニウム化合物によって形成されていれば構わない。
【００５０】
また、上記実施形態では、上ケアプレート１５及び下ケアプレート１７が平板状であるとしたが、これに限らない。上ケアプレート１５及び下ケアプレート１７のうち一方のプレートが器具内側に向かって凸面を形成する凸状湾曲面を有し、他方のプレートがその凸状湾曲面に対応した曲率の凹面を形成する凹状湾曲面を有していてもよい。このような構成によれば、これら両湾曲面で毛髪を巻きながら整髪することができるので、巻き髪に好適に用いることができる。
【００５１】
また、上記実施形態では、毛髪を挟み込む挟込部３が上アーム７及び下アーム９によって構成された形態を例示したが、これに限らない。挟込部３は、毛髪を挟み込むことができ、整髪を行う際にセラミック又はゲルマニウム化合物からなるケアプレートを毛髪に押し当てることが可能な構成であればよい。
【産業上の利用可能性】
【００５２】
以上説明したように、本発明は、毛髪に艶を付与しつつ整髪を行えるヘアケア器具について有用である。
【符号の説明】
【００５３】
１      ヘアケア器具
３      挟込部
５      ヒンジ部
７      上アーム
９      下アーム
１１    付勢機構
１３    コイルばね
１５    上ケアプレート
１７    下ケアプレート
１９    上アウタケース
２１    上インナパネル
２３，４１    前側凹部
２５，４３    支持リブ
２７，４５    仕切壁
２９，５１    後側凹部
３３，３５，５３    ボス
３７，５５，７５    ねじ
３９    アウタ連絡部
４１    下アウタケース
４３    下インナパネル
４９    窪み
５３    インナ連絡部
５９    センター軸受部
６１    挿通孔
６３    サイド軸受部
６５    回転軸部品
６７    回転軸体
６９    止め板
７１    キャップ部
７３    軸本体
７７    キャップ
７９    開き規制機構
８１    ストッパ片
【図１】
2019088406.tif 000003
【図２】
2019088406.tif 000004
【図３】
2019088406.tif 000005
【図４】
2019088406.tif 000006